(57)【要約】【課題】状態監視用端末の省配線化を可能とし、組み立て時の作業性を向上させるとともに、状態監視用端末のノイズによる影響を極力小さくして、状態監視用端末からのデータの精度を向上させた自家用発電装置を提供する。【解決手段】自家用発電装置１にエンジン３が発電機４を駆動することにより発生する発電電力の制御を行う発電機盤５と、補助アクチュエータの制御を行う補機盤７と、状態監視用端末の制御を行う端末盤８と、を具備し、該発電機盤と端末盤とをＣＡＮ通信で接続し、端末盤を各監視対象の近傍に分割配置し、補機盤はモータ駆動する補助アクチュエータをインバータ制御する構成とした。【選択図】図１
2005299601.tif 000002
【特許請求の範囲】
【請求項１】
エンジンが発電機を駆動することにより発生する発電電力の制御を行う発電機盤と、補助アクチュエータの制御を行う補機盤と、状態監視用端末の制御を行う端末盤と、を具備する自家用発電装置において、
該発電機盤と端末盤とをＣＡＮ通信で接続し、
端末盤を各監視対象の近傍に分割配置し、
補機盤はモータ駆動する補助アクチュエータをインバータ制御する構成としたことを特徴とする自家用発電装置。
【請求項２】
予め定められた種類の異なるエンジンに関する制御プログラムを具備し、自家用発電装置に設けたエンジンに対応する制御プログラムを用いてエンジンの制御を行うとともに、
相反する一対の操作機能を、操作対象を挟んで画面の上下または左右に離して配置して表示するタッチパネルを発電機盤に設け、
該タッチパネルは警報および運転状況に係るデータを表示可能とし、
端子台への接続を選択してタッチパネルを仕様に応じて使い分け可能としたことを特徴とする請求項１に記載の自家用発電装置。
【請求項３】
前記タッチパネルの表示面を発電機盤の盤面に対して傾斜させたことを特徴とする請求項２に記載の自家用発電装置。
【請求項４】
前記タッチパネルの表示面に故障履歴に関するデータを表示可能としたことを特徴とする請求項２または請求項３に記載の自家用発電装置。
【請求項５】
筐体の開放部に防水仕様の警報手段を設けたことを特徴とする請求項１から請求項４までのいずれか一項に記載の自家用発電装置。
【請求項６】
防災仕様の外部表示手段を設けたことを特徴とする請求項１から請求項５までのいずれか一項に記載の自家用発電装置。
【請求項７】
寒冷地仕様のＡＣ電源遮断器および断線検出手段を設けたことを特徴とする請求項１から請求項６までのいずれか一項に記載の自家用発電装置。
【請求項８】
エンジンの燃料の使用量、排熱を利用して得られる温水の供給量および温水の温度に関するデータを取得可能とし、該取得したデータと、該エンジンが発電機を駆動することにより発生した発電電力に関するデータと、に基づいて燃費を算出可能としたことを特徴とする請求項１から請求項７までのいずれか一項に記載の自家用発電装置。
【発明の詳細な説明】
【技術分野】
【０００１】
本発明は、自家用発電装置の技術に関する。より詳細には、自家用発電装置の制御を行う制御装置の構成に関する。
【背景技術】
【０００２】
従来、パッケージと呼ばれる筐体内にエンジン等の駆動源と、発電機と、これらを制御するための制御装置（制御盤）を具備する自家用発電装置は公知となっている。
このような自家用発電装置は、商用電力と、発電電力（駆動源により発電機を駆動して得られる電力）とを必要に応じて切り替えることにより、負荷の需要電力を賄う形式のものが知られている。また、自家用発電装置に熱交換器や水の供給配管等を設け、駆動源から発生する排熱を利用して水を昇温し、温水を供給可能としたコージェネレーション装置としたものも知られている。例えば、特許文献１に記載の如くである。
【０００３】
また、種々の状態監視用端末（センサ等）を設け、該状態監視用端末から取得したデータ（信号）に基づいて自家用発電装置を構成するエンジン等の運転を制御するとともに、何らかの異常が発生したと制御装置が判断した場合には、作業者の手によらずとも停止可能とした自家用発電装置も知られている。例えば、特許文献２に記載の如くである。
【０００４】
【特許文献１】特開２００２−２４２７５９号公報
【特許文献２】特開２００２−７０６０６号公報
【発明の開示】
【発明が解決しようとする課題】
【０００５】
自家用発電装置に設けられる状態監視用端末の数は多く、該状態監視用端末と制御装置とを接続する配線の数も多い。そのため、接続作業時に配線の接続ミスを引き起こしやすく、組み立て時の作業性が良くないという問題がある。
また、状態監視用端末が温度センサ等、検知したデータを微弱電流の大きさとして表す場合、制御装置との間の配線が長くなると配線自体の抵抗や外乱等により検知データの信号が小さくなるとともに、ノイズの影響が大きくなるという問題がある。
【０００６】
本発明は以上の如き状況に鑑み、状態監視用端末の省配線化を可能とし、組み立て時の作業性を向上させるとともに、状態監視用端末のノイズによる影響を極力小さくして、状態監視用端末からのデータの精度を向上させた自家用発電装置を提供するものである。
【課題を解決するための手段】
【０００７】
本発明の解決しようとする課題は以上の如くであり、次にこの課題を解決するための手段を説明する。
【０００８】
即ち、請求項１においては、エンジンが発電機を駆動することにより発生する発電電力の制御を行う発電機盤と、補助アクチュエータの制御を行う補機盤と、状態監視用端末の制御を行う端末盤と、を具備する自家用発電装置において、
該発電機盤と端末盤とをＣＡＮ通信で接続し、
端末盤を各監視対象の近傍に分割配置し、
補機盤はモータ駆動する補助アクチュエータをインバータ制御する構成としたものである。
【０００９】
請求項２においては、予め定められた種類の異なるエンジンに関する制御プログラムを具備し、自家用発電装置に設けたエンジンに対応する制御プログラムを用いてエンジンの制御を行うとともに、
相反する一対の操作機能を、操作対象を挟んで画面の上下または左右に離して配置して表示するタッチパネルを発電機盤に設け、
該タッチパネルは警報および運転状況に係るデータを表示可能とし、
端子台への接続を選択してタッチパネルを仕様に応じて使い分け可能としたものである。
【００１０】
請求項３においては、前記タッチパネルの表示面を発電機盤の盤面に対して傾斜させたものである。
【００１１】
請求項４においては、前記タッチパネルの表示面に故障履歴に関するデータを表示可能としたものである。
【００１２】
請求項５においては、筐体の開放部に防水仕様の警報手段を設けたものである。
【００１３】
請求項６においては、防災仕様の外部表示手段を設けたものである。
【００１４】
請求項７においては、寒冷地仕様のＡＣ電源遮断器および断線検出手段を設けたものである。
【００１５】
請求項８においては、エンジンの燃料の使用量、排熱を利用して得られる温水の供給量および温水の温度に関するデータを取得可能とし、該取得したデータと、該エンジンが発電機を駆動することにより発生した発電電力に関するデータと、に基づいて燃費を算出可能としたものである。
【発明の効果】
【００１６】
本発明の効果として、以下に示すような効果を奏する。
【００１７】
請求項１においては、自家用発電装置内部の状態監視用端末に係る配線を減らして省スペース化、配線接続作業の容易化を図ることが可能である。
また、発電機盤は端末盤との間で大量のデータをリアルタイムで送受信することが可能であり、外部負荷の電力需要に応じてエンジン、発電機、その他の補助アクチュエータ等を所望の条件で運転および停止させることが可能である。
さらに、端末盤を監視対象の近傍に配置することにより、従来の配線にて接続される区間を短くし、その分をＣＡＮ通信ケーブルに置換することが可能であり、データ信号を途中で増幅せずに長距離のデータ転送が可能でデータ伝送の信頼性が高い。
【００１８】
請求項２においては、仕様毎に異なる発電機盤を用意する必要がなく、組み立て時の作業性に優れるとともに、部品の共通化によるコスト削減を図ることが可能である。
【００１９】
請求項３においては、タッチパネルの視認性および操作性が向上する。
【００２０】
請求項４においては、自家用発電装置の故障原因を容易に把握することができ、作業性に優れる。
【００２１】
請求項５においては、警報ベルの警報音が外からも聞こえるとともに、自家用発電装置を屋外に設置した場合に、雨水等が開放部から侵入しても警報ベルが故障することがない。
【００２２】
請求項６においては、仕様毎に異なる発電機盤を用意する必要が無く、部品の共通化を図ることが可能であり、コスト削減に寄与する。
【００２３】
請求項７においては、仕様毎に異なる発電機盤を用意する必要が無く、部品の共通化を図ることが可能であり、コスト削減に寄与する。
【００２４】
請求項８においては、コストメリット（商用電力のみを外部負荷に供給する場合と比較してどれだけ電力コストが削減されているか）を把握することが容易である。
【発明を実施するための最良の形態】
【００２５】
以下では、図１を用いて本発明に係る自家用発電装置の実施の一形態である自家用発電装置１の全体構成について説明する。
なお、本明細書における「自家用発電装置」は、本実施例の自家用発電装置１に限定されず、駆動源（エンジン）と発電機とを具備し、駆動源により発電機を駆動して電力（発電電力）を発生し、該電力を外部負荷に供給可能なものを広く指すものとする。また、駆動源から発生する排熱を利用して温水を供給可能としたコージェネレーション装置も自家用発電装置に含まれるものとする。
【００２６】
自家用発電装置１は主に、パッケージ２、エンジン３、発電機４、発電機盤５、エンジン盤６、補機盤７、端末盤８、直流電源盤９等で構成される。
【００２７】
パッケージ２は自家用発電装置１を構成する他の部材を収容する略直方体形状の筐体である。また、パッケージ２は屋外設置時に風雨から自家用発電装置１を構成する他の部材を保護する機能と、内部に設けられたエンジン３の作動音を遮断する機能（防音機能）とを兼ねるものである。
エンジン３は発電機４を駆動するための駆動源であり、具体的にはガスエンジンやディーゼルエンジン等のエンジンからなる。エンジン３には燃料を供給するための配管および燃料の供給および停止を行うバルブ群が接続される。
【００２８】
発電機４は本実施例においては三相交流発電機である。自家用発電装置１が商用電力と、発電電力とを必要に応じて切り替えて負荷の需要電力を賄う形式の系統連系システムに用いられている場合、発電機４が発生する電力（発電電力）は連系盤、受電盤を経て外部負荷に供給される。
【００２９】
発電機盤５は発電機４の制御を行うだけでなく、自家発電装置１を構成するエンジン３や他の構成部材に係る盤（本実施例の場合、エンジン盤６、補機盤７、端末盤８）と連係して自家用発電装置１全体の運転制御を行うものである。
発電機盤５は主に箱体１１、発電機コントローラ（ＧＣＵ）１２、集合形保護継電器１３、電気通信ユニット１４、タッチパネル１５等で構成される。
【００３０】
箱体１１は発電機盤５を構成する他の部材を収容する筐体である。箱体１１はパッケージ２の一側面に設けられる。
【００３１】
ＧＣＵ１２は具体的にはＣＰＵやシーケンサやメモリ等を具備し、発電機４および自家用発電装置１の運転に係るプログラム群およびデータ群を格納している。
このとき、ＧＣＵ１２には、現在自家用発電装置１に設けられているエンジン３に関する制御プログラムおよび制御データだけでなく、エンジン３とは種類の異なるエンジンであって、仕様が異なる場合に設ける可能性があるもの（すなわち、予め定められたもの）に関する制御プログラムおよび制御データもメモリに格納されている。
そして、自家用発電装置１を運転制御する際には、設けられるエンジン３に対応する制御プログラムおよび制御データを用いることとしている。
このように構成することにより、仕様毎に異なる発電機盤を用意する必要がなく、組み立て時の作業性に優れるとともに、部品の共通化によるコスト削減を図ることが可能である。
【００３２】
集合形保護継電器１３は過速度継電器、定格速度継電器、不足速度継電器等の機能を兼ねるものであり、発電機の残留磁気電圧から発電機４から出力される交流電流の周波数（言い換えれば、発電機の回転数）を計測するものである。ＧＣＵ１２と集合形保護継電器１３とは配線により接続され、集合形保護継電器１３により計測された交流電流の周波数に係るデータはバイナリデータとしてＧＣＵ１２に送信される。
ＧＣＵ１２は、発電機４から出力される交流電流の周波数に係るデータに基づいて、外部負荷に電力を供給する際に周波数を合わせる（すなわち、エンジン盤６と連係してエンジン３の回転数を調整する）。
【００３３】
電気通信ユニット１４は、ＧＣＵ１２に送信されてきた種々のデータを含めた自家用発電装置１の運転状況に係るデータを、電気通信回線１４ａを通じて外部（例えば、遠隔地に設けた監視用のパソコン等）に送信可能とするとともに、外部からの指令をＧＣＵ１２が受信可能とするものである。ここで、電気通信回線の具体例としては、電話回線やインターネット回線等が挙げられる。
なお、電気通信ユニット１４は通常はモデムを具備しているが、自家用発電装置１を複数台連係させて使用する場合には、各自家用発電装置１の電気通信ユニット１４を電気通信回線にて接続し、複数の自家用発電装置１のいずれかの電気通信ユニット１４にのみモデムを具備し、他の自家用発電装置１については電気通信ユニット１４のモデムを省略することが可能である。
【００３４】
タッチパネル１５は自家用発電機１の運転状況に係るデータの表示手段であるとともに、自家用発電機１の運転操作を行う操作手段である。タッチパネル１５は箱体１１の正面に設けられ、作業者がパッケージ２や箱体１１に設けられた扉を開けずとも操作可能としている。
【００３５】
図２および図３に示す如く、箱体１１の正面には窪み部１１ａが形成され、該窪み部１１ａに設けられたタッチパネル１５の表示面１５ａが、表示面１５ａの上端がタッチパネル１５の正面に立った作業者から見て奥側、表示面１５ａの下端がタッチパネル１５の正面に立った作業者から見て手前側となるように発電機盤５の盤面（箱体１１の一側面）に対して傾斜している。
タッチパネル１５は、表示面１５ａの中心の高さが自家用発電機１のパッケージ２の底面から約１２０ｃｍ程度となる位置（すなわち、作業者がタッチパネル１５の正面に立ったときに、視線の方向が水平よりもやや下方に傾き、かつ、タッチパネル１５を操作する手を大きく上方に上げる必要が無く、作業者が楽な姿勢でタッチパネル１５の操作をすることが可能な位置）に配置される。
このように構成することにより、タッチパネル１５の視認性および操作性が向上する。
【００３６】
また、図４に示す如く、ガバナ調整の増加ボタン１６ａと減少ボタン１６ｂ、エンジン３の始動ボタン１７ａと停止ボタン１７ｂ、ラジエータファンの運転ボタン１８ａと停止ボタン１８ｂ等、タッチパネル１５の表示面１５ａに表示され、相反する一対の操作機能を、操作対象を挟んで表示面１５ａの左右に離して配置し、停止または減少側と、始動または増加側とをそれぞれ左右同一側に配置している。
このように構成することにより、作業者が誤った機能ボタンを操作することを防止可能であり、作業性に優れる。
なお、本実施例では相対する一対の機能ボタンを、操作対象を挟んで表示面１５ａの左右に離して配置したが、表示面１５ａの上下に離して配置しても良い。
【００３７】
さらに、タッチパネル１５は、表示面１５ａに自家用発電装置１の運転状況や警報（故障）に係る情報を表示することが可能である。
このように構成することにより、発電機盤６の正面等に従来設けていた運転状況や警報を示すランプを省略することが可能である。
【００３８】
また、タッチパネル１５は後述する状況監視用端末により検知された自家用発電装置１の故障内容の履歴（故障内容に係る時系列的なデータ）を表示面１５ａに表示可能としている（より具体的には、表示面１５ａに表示される機能ボタンの一つである故障履歴呼び出しボタン１９を押すことにより、故障履歴を表示面１５ａに表示する）。
このように構成することにより、作業者は自家用発電装置１に故障が発生した場合でも故障原因を容易に把握することができ、作業性に優れる。
【００３９】
さらに、本実施例の自家用発電装置１は、例えば防水仕様や寒冷地仕様、防災兼用仕様等、異なる仕様でも同一のタッチパネル１５を使用可能としている。
具体的には、タッチパネル１５の表示及び触れた部分を検知する部分の選択は、ＧＣＵ１２のプログラムの変更により制御可能であるが、ＧＣＵ１２に接続される端子台２６に接続する端子の選択により防水仕様や寒冷地仕様、防災兼用仕様等を決められるようにしている。つまり、タッチパネル１５の端子台２６には自家用発電装置１の各仕様に必要な端子が全て設けられており、ある仕様としたときに使用しない機能に対応する端子には配線をせず空けておく。
例えば、防災兼用仕様においては商用電力が停電した時にその旨をタッチパネル１５に表示する必要があるため、系統の不足電圧接点とタッチパネル１５の端子台２６に設けられた対応する接点とを配線にて接続しておく必要があるが、他の仕様においてはこのような機能は必要でないため、当該配線を接続しないで空けておくのである。
また、タッチパネル１５の機能（表示画面のパターン等）についても、タッチパネル１５を適用し得る仕様に必要な機能は予め全て設けられており、組み立て時にある仕様としたときに使用しない機能については選択不可能とするように構成している。
このように、端子台２６への接続を選択してタッチパネル１５を仕様に応じて使い分け可能としたことにより、仕様毎に異なるタッチパネル１５を用意する必要が無く、部品の共通化を図ることが可能であり、コスト削減に寄与する。また、組み立て作業時に異なる仕様のタッチパネルを組み付けるといったミスを防止することが可能であり作業性に優れる。
【００４０】
エンジン盤６はＣＰＵやＲＯＭ等を具備し、エンジン３の運転制御に係るプログラムおよびデータ等を格納している。エンジン盤６は前記発電機盤５と連係してエンジン３の運転制御を行うものである。
なお、本実施例では発電機盤５とエンジン盤６とを別体としているが、発電機盤５内にエンジン３の運転制御に係るプログラムおよびデータ等を格納し、エンジン盤６を省略することも可能である。
【００４１】
補機盤７は自家用発電装置１に設けられている種々の補助アクチュエータ（例えば、エンジン３の冷却水用ラジエータファン、エンジン３の冷却水を循環させるためのポンプ、自家用発電装置１の換気ファンや照明等）の制御を行うものである。補機盤７と発電機盤５（より厳密には、ＧＣＵ１２）とは配線により接続され、補機盤７が制御する補助アクチュエータに係るデータはバイナリデータとしてＧＣＵ１２に送信される。補機盤７にはインバータが設けられ、モータ駆動する補助アクチュエータをインバータ制御している。このように構成することにより、補助アクチュエータの動作を滑らかに制御することが可能である。
【００４２】
端末盤８は自家用発電装置１の状態監視用端末の配線に接続される。端末盤８は状態監視用端末からの検知信号をＣＡＮ通信用のデータに変換し、内部ＣＡＮ通信ケーブル２０を経て発電機盤５のＧＣＵ１２やエンジン盤６に送信する。ＣＡＮ通信の詳細については後述する。
状態監視用端末の具体例としては、エンジン３の冷却水温度を監視する温度センサ３１、エンジン３の回転数を検出する回転数センサ３２、燃料の流量を検知する流量センサ（図示せず）、自家用発電装置１がコージェネレーション装置である場合に設けられる温水の温度を計測する温度センサ（図示せず）、温水の流量を検知する流量センサ（図示せず）等が挙げられる。
なお、端末盤８を状態監視用端末が配置されている場所の近傍に適宜分割配置し、端末盤８と状態監視用端末との間の距離を極力小さくすることが望ましい。
【００４３】
直流電源盤９は充電器およびバッテリーを具備し、発電機４にて発生した電力の一部を該バッテリーに充電するとともに、エンジン３の始動用電力を供給する。
【００４４】
以下では、本実施例の自家用発電装置１における発電機盤５と、エンジン盤６と、端末盤８との間の接続配線、および、発電機盤５と自家用発電装置１の外部との接続配線について説明する。
【００４５】
本実施例の自家用発電装置１は、内部の発電機盤５とエンジン盤６と端末盤８との間、および、自家用発電装置１を複数台用いて発電を行う場合における他の自家用発電装置１との間、のデータ通信手段として、ＣＡＮ通信を用いている。すなわち、図１に示す如く発電機盤５と、エンジン盤６と、端末盤８とは、内部ＣＡＮ通信ケーブル２０により接続される。
【００４６】
また、自家用発電装置１の外部とも外部ＣＡＮ通信ケーブル２１で接続し、ＣＡＮ通信によりデータ通信することが可能に構成される。
ここで、「外部」とは、自家用発電装置１が設置されている建物内において、該自家用発電装置１から離れた位置（例えば、監視モニター室等）に設置されたパソコンや、自家用発電装置１を複数台設置してこれらを連係させて使用する場合における他の自家用発電装置１を指す。
【００４７】
ＣＡＮ（Ｃｏｎｔｒｏｌｌｅｒ  Ａｒｅａ  Ｎｅｔｗｏｒｋ）はＩＳＯで国際的に標準化された通信プロトコルの一種であり、（１）通信ケーブル（ＣＡＮ通信ケーブル）としてシリアルバスを用いるため、大量のデータを少ない配線で送信することが可能であること（省配線、重量削減およびコスト削減が可能）、（２）配線が簡単（シンプル）でデータ伝送の信頼性が高いこと、（３）リアルタイムで大量のデータ伝送が可能であり、システム間で大量のデータをやりとりしつつ連係作業を行う用途に適していること、（４）データ信号を増幅する必要が無く、長距離のデータ転送に適していること、といった特徴を有する。
【００４８】
以上の如く、本実施例の自家用発電装置１は、電力の制御を行う発電機盤５と、補助アクチュエータの制御を行う補機盤７と、状態監視用端末の制御を行う端末盤８と、を具備し、該発電機盤５と端末盤８とをＣＡＮ通信で接続し、端末盤８を各監視対象（エンジン３や発電機４等）の近傍に分割配置し、補機盤７はモータ駆動する補助アクチュエータをインバータ制御する構成としたものである。
【００４９】
このように構成することにより、自家用発電装置１内部の状態監視用端末に係る配線を減らして省スペース化、配線接続作業の容易化を図ることが可能である。
また、発電機盤５はエンジン盤６、補機盤７および端末盤８等との間で大量のデータ（自家用発電装置１の運転状況に係るデータ）をリアルタイムで送受信することが可能であり、外部負荷の電力需要に応じてエンジン３、発電機４、その他の補助アクチュエータ等を所望の条件で運転および停止させることが可能である。
さらに、自家用発電装置１の仕様（エンジンの種類や出力の大きさ）によってはパッケージ２内部のレイアウトの制約上、状態監視用端末（センサ等）と発電機盤５との距離が長くなる場合があるが、このような場合でも、端末盤８を各監視対象（エンジン３や発電機４等）の近傍に分割配置することにより、従来の配線にて接続される区間を短くし、その分を内部ＣＡＮ通信ケーブル２０に置換することが可能であり、データ信号を途中で増幅する必要が無く、長距離のデータ転送が可能であるとともに配線が簡単（シンプル）でデータ伝送の信頼性が高い。
【００５０】
なお、本実施例では補機盤７と発電機盤５との間のデータ通信手段として、通常のシリアル伝送方式を用いたが、これをＣＡＮ通信としても良い。
【００５１】
また、従来から自家用発電装置には何らかの故障が発生した場合に通報するための警報ベルが設けられているが、筐体（パッケージ）の内部に警報用のベルを設けた場合、パッケージの防音機能が優れていると、当該警報ベルの警報音が外から聞こえにくいという問題がある。
そこで、本実施例の自家用発電装置１においては、パッケージ２の適当な場所（エンジン３等騒音の発生源から離れた位置が望ましい）に開放部（複数の小さな孔等）を形成し、パッケージ２の内部において該開放部の近傍に防水仕様の音声による警報手段（ベル、ブザー、スピーカ等）を設けている。
このように構成することにより、警報ベルの警報音が外からも聞こえるとともに、自家用発電装置１を屋外に設置した場合に、雨水等が開放部から侵入しても警報ベルが故障することがない。
【００５２】
また、図２および図３に示す如く、自家用発電装置１の発電機盤５の正面には、防災仕様または防災兼用仕様に必要とされる外部表示手段である発電中ランプ２２、充電中ランプ２３、制御電源ランプ２４、故障ランプ２５等が設けられている。
そして、自家用発電装置１を防災仕様または防災兼用仕様とする場合にはこれらの外部表示手段とＧＣＵ１２とを配線で接続し、自家用発電装置１を他の仕様とする場合にはこれらの外部表示手段とＧＣＵ１２とを配線で接続しないようにしている。
このように構成することにより、仕様毎に異なる発電機盤５を用意する必要が無く、部品の共通化を図ることが可能であり、コスト削減に寄与する。
【００５３】
また、自家用発電装置を寒冷地仕様として使用する場合、エンジン３に燃料を供給する配管の凍結防止用のヒータが必要であり、これに付随して、当該ヒータに電力を供給するための配線の中途部にはＡＣ電源遮断器（ブレーカ）、配線の断線を検知する検知手段（断線検知手段）が必要である。
本実施例の自家用発電装置１においては、上記ＡＣ電源遮断器および断線検出手段を設けている。
そして、自家用発電装置１を寒冷地仕様とする場合には凍結防止用のヒータとＡＣ電源遮断器、およびＡＣ電源遮断器と直流電源盤９（ヒータに電力を供給する）とを配線で接続するとともに断線検知手段とＧＣＵ１２とを接続する。また、自家用発電装置１を他の仕様とする場合には、ＡＣ電源遮断器を残したままで凍結防止用のヒータを省略し、断線検知手段とＧＣＵ１２とを接続する配線を省略する。
このように構成することにより、仕様毎に異なる発電機盤５を用意する必要が無く、部品の共通化を図ることが可能であり、コスト削減に寄与する。
【００５４】
また、自家用発電装置１は、燃料の流量センサに係るデータと、発電電力に係るデータとに基づいて、燃費（発電電力を燃料の量で割った値）を算出し、該算出結果をタッチパネル１５の表示面１５ａに表示可能としている。
さらに、自家用発電装置１がコージェネレーション装置である場合には、上記燃費に加えて、燃料の流量センサに係るデータ（燃料の使用量に係るデータ）と、排熱を利用して得られる温水の供給量に係るデータと、温水の温度（より厳密には、エンジンの排熱により昇温される前の水温と、排熱により昇温された後の温水の温度差）に係るデータと、発電電力に係るデータと、に基づいて、エネルギー効率（発電電力と温水が得た熱エネルギーとの和を、燃料を燃焼させたときに発生する熱エネルギーで割った値）を算出し、該算出結果をタッチパネル１５の表示面１５ａに表示可能としている。
このように構成することにより、自家用発電機１の燃費またはエネルギー効率を把握し、コストメリット（商用電力のみを外部負荷に供給する場合と比較してどれだけ電力コストが削減されているか）を把握することが容易である。
また、当該燃費およびエネルギー効率に関するデータをＧＣＵ１２に蓄積したり、あるいは外部のパソコンに送信してモニタリングすることにより、自家用発電装置１のメンテナンスの時期を決める材料とすることもできる（例えば、エネルギー効率が下がってきた場合には、自家用発電装置１の各種軸受部に注油を行う等）。
【図面の簡単な説明】
【００５５】
【図１】本発明の一実施例に係る自家用発電装置の全体構成を示す模式図。
【図２】発電機盤の正面図。
【図３】発電機盤の側面図。
【図４】タッチパネルの表示部の表示例を示す図。
【符号の説明】
【００５６】
１    自家用発電装置
３    エンジン
４    発電機
５    発電機盤
７    補機盤
８    端末盤
【図１】
2005299601.tif 000003
【図２】
2005299601.tif 000004
【図３】
2005299601.tif 000005
【図４】
2005299601.tif 000006